【手続補正書】
【提出日】平成19年8月30日(2007.8.30)
【手続補正１】
【補正対象書類名】明細書
【補正対象項目名】特許請求の範囲
【補正方法】変更
【補正の内容】
【特許請求の範囲】
【請求項１】  サイクルドライモードを使う、冷房モード又は暖房モードの何れにおいても弁閉状態を維持できる双方向型電磁弁であって、
第１の入出口ポートと第２の入出口ポートとを有し、前記第２の入出口ポート側に弁ポートが設けられ、前記第１の入出口ポート側に形成された弁室に主弁体が設けられ、前記弁ポートの周りに弁座が画定されて設けられ、前記弁体をその一端が弁座に着座した弁閉位置と前記弁座より離れた弁開位置との間に駆動するプランジャを含み、該プランジャの一端側が前記弁体の他端に連結された電磁式駆動手段が設けられ、前記プランジャの他端側の背部に弁閉維持用圧力室が画定され、
前記第２の入出口ポートより前記第１の入出口ポートへ向けて流体が流れるモードにおいて、前記主弁体が前記弁閉位置にある弁閉状態であるとき、前記主弁体が前記弁閉位置にある弁閉状態を維持するように、前記弁閉維持用圧力室に前記第２の入出口ポートの側の流体圧を前記弁閉維持用圧力室に導入する流体圧通路が前記主弁体にその弁リフト方向に貫通して形成され、
前記主弁体が前記弁閉位置にある弁閉状態において、前記弁閉位置に位置する前記主弁体と前記弁座との間に形成される間隙により前記第１の入出口ポートと前記第２の入出口ポートとの間に微少流量の流れが確保される絞り状態が得られることを特徴とする双方向型電磁弁。
【請求項２】  前記流体圧通路の途中に前記流体圧通路を閉じるように付勢され前記第２の入出口ポートの側の流体圧を及ぼされることにより開弁する副弁体が設けられ、
前記第２の入出口ポートより前記第１の入出口ポートへ向けて流体が流れるモードにおいて前記主弁体が前記弁閉位置であるとき、前記副弁体が前記第２の入出口ポートの側の流体圧により開弁することを特徴とする請求項1に記載の双方向型電磁弁。
【請求項３】  前記プランジャに前記弁閉維持用圧力室の内圧を逃すブリード孔が形成され、前記副弁体が弁開している状態で上記ブリード孔を流れるブリード流量が前記流体圧通路を流れる流量よりも少ないことを特徴とする請求項１又は請求項２に記載の双方向型電磁弁。
【請求項４】  前記電磁式駆動手段は、内部ばねを含む電磁ソレノイド装置により構成され、非通電時には内部ばねのばね力により前記主弁体を前記弁開位置へ駆動し、通電時には内部ばねのばね力に抗して前記主弁体を前記弁閉位置へ駆動する常開型のものであることを特徴とする請求項１乃至３の何れか１項に記載の双方向型電磁弁。
【請求項５】  圧縮機と、室外熱交換器と、第１の室内交換器と、第２の室内熱交換器と、これらをループ接続する冷媒通路と、前記室外熱交換器と前記第１の室内交換器との間の冷媒通路に設けられた膨張弁と、冷房モードと暖房モードとの切換のためにループ接続された冷媒通路における冷媒の流れ方向を反転する四方弁とを有し、
前記第１の室内交換器と前記第２の室内熱交換器との間に請求項１乃至４の何れか１項に記載の双方向型電磁弁が接続され、
冷房モードと暖房モードの何れにおいても、前記双方向型電磁弁が弁閉状態になることにより、除湿運転が行えることを特徴とする空気調和機。
【手続補正２】
【補正対象書類名】明細書
【補正対象項目名】０００７
【補正方法】変更
【補正の内容】
【０００７】
【課題を解決するための手段】
上述の目的を達成するために、この発明による双方向型電磁弁は、サイクルドライモードを使う、冷房モード又は暖房モードの何れにおいても弁閉状態を維持できる双方向型電磁弁であって、第１の入出口ポートと第２の入出口ポートとを有し、前記第２の入出口ポート側に弁ポートが設けられ、前記第１の入出口ポート側に形成された弁室に主弁体が設けられ、前記弁ポートの周りに弁座が画定されて設けられ、前記弁体をその一端が弁座に着座した弁閉位置と前記弁座より離れた弁開位置との間に駆動するプランジャを含み、該プランジャの一端側が前記弁体の他端に連結された電磁式駆動手段が設けられ、前記プランジャの他端側の背部に弁閉維持用圧力室が画定され、前記第２の入出口ポートより前記第１の入出口ポートへ向けて流体が流れるモードにおいて、前記主弁体が前記弁閉位置にある弁閉状態であるとき、前記主弁体が前記弁閉位置にある弁閉状態を維持するように、前記弁閉維持用圧力室に前記第２の入出口ポートの側の流体圧を前記弁閉維持用圧力室に導入する流体圧通路が前記主弁体にその弁リフト方向に貫通して形成され、前記主弁体が前記弁閉位置にある弁閉状態において、前記弁閉位置に位置する前記主弁体と前記弁座との間に形成される間隙により前記第１の入出口ポートと前記第２の入出口ポートとの間に微少流量の流れが確保される絞り状態が得られることを特徴とするものである。
【手続補正３】
【補正対象書類名】明細書
【補正対象項目名】０００８
【補正方法】変更
【補正の内容】
【０００８】
この構成によれば、第１の入出口ポートより第２の入出口ポートへ向けて流体が流れるモードでは、主弁体が弁閉位置にある状態において、その流体圧は弁室にて主弁体に対して弁閉方向に直接作用し、これに対し、第２の入出口ポートより第１の入出口ポートへ向けて流体が流れるモードにおいては、主弁体が弁閉位置にある状態において、その流体圧は主弁体に対して弁開方向に直接作用するが、流体圧通路を通じて弁閉維持用圧力室に第２の入出口ポートの側の流体圧が導入され、弁閉維持用圧力室に導入された流体圧が主弁体に対して弁閉方向に作用し、何れのモードでも、主弁体が弁閉位置に位置する弁閉状態が 安定維持される。
【手続補正４】
【補正対象書類名】明細書
【補正対象項目名】０００９
【補正方法】変更
【補正の内容】
【０００９】
この発明による双方向型電磁弁では、前記流体圧通路は前記主弁体を弁リフト方向に貫通して形成され、前記副弁体は前記主弁体に組み込まれている構成にすることができ、小型化設計が可能になる。また、この発明による双方向型電磁弁は、前記弁閉位置に位置する前記主弁体と前記弁座との間に形成される間隙により、前記主弁体の前記閉弁位置において前記第１の入出口ポートと前記第２の入出口ポートとの間に微少流量の流れが確保される絞り状態が得られる構成にすることができ、双方向型の絞り弁を構成することが可能になる。
【手続補正５】
【補正対象書類名】明細書
【補正対象項目名】００１０
【補正方法】変更
【補正の内容】
【００１０】
プランジャ２３にはプランジャ内圧を逃がす流体逃がし通路としてのブリード孔が形成されている。このブリード孔が形成されていることで、電磁ソレノイド装置の通電停止時に、磁気的に吸引されているプランジャ２３の内部ばね２８のばね力による吸引子２２からの離間が、弁閉維持用圧力室３０内の流体圧によって阻止されてしまうことがなくなる。なお、前記ブリード孔は、前記弁閉維持用圧力室が有効に作用するよう、前記副弁体３５が弁開している状態で前記流体圧通路３２を流れる流体の流量より前記ブリード孔を流れるブリード流量が小流量になるように口径を設定されている。
【手続補正６】
【補正対象書類名】明細書
【補正対象項目名】００１１
【補正方法】変更
【補正の内容】
【００１１】
また、この発明による双方向型電磁弁は、前記電磁式駆動手段が、内部ばねを含む電磁ソレノイド装置により構成され、非通電時には内部ばねのばね力により前記主弁体を前記弁開位置へ駆動し、通電時には内部ばねのばね力に抗して前記主弁体を前記弁閉位置へ駆動する常開型のものとすることができ、電力消費量の低減を図ることができる。
【手続補正７】
【補正対象書類名】明細書
【補正対象項目名】００２２
【補正方法】変更
【補正の内容】
【００２２】
プランジャ２３にはプランジャ内圧を逃がす流体逃がし通路としてのブリード孔３７が形成されている。このブリード孔３７が形成されていることで、電磁ソレノイド装置２０の通電停止時に、磁気的に吸引されているプランジャ２３の内部ばね２８のばね力による吸引子２２からの離間が、弁閉維持用圧力室３０内の流体圧によりよって阻止されてしまうことがなくなる。なお、ブリード孔３７は、弁閉維持用圧力室３０が有効に作用するよう、副弁体３５が弁開して内部通路（流体圧通路）を流体が流れる状態で内部通路（流体圧通路）３２を流れる流体の流量よりブリード孔を流れるブリード流量が小流量になるように口径を設定されている。
【手続補正８】
【補正対象書類名】明細書
【補正対象項目名】００３６
【補正方法】変更
【補正の内容】
【００３６】
【発明の効果】
以上の説明から理解される如く、この発明による双方向型電磁弁によれば、第１の入出口ポートより第２の入出口ポートへ向けて流体が流れるモードでは、主弁体が弁閉位置にある状態において、その流体圧は弁室にて主弁体に対して弁閉方向に直接作用する。これに対し、第２の入出口ポートより第１の入出口ポートへ向けて流体が流れるモードにおいては、主弁体が弁閉位置にある状態において、その流体圧は主弁体に対して弁開方向に直接作用するが、流体圧通路を通じて、弁閉維持用圧力室に第２の入出口ポートの側の流体圧が導入され、弁閉維持用圧力室に導入された流体圧が主弁体に対して弁閉方向に作用する。したがって、何れのモードでも、すなわち、流体の流れ方向が反転しても、他の電磁アクチュエータ等を必要とすることなく、弁閉状態が安定維持される。
さらに、弁閉位置に位置する主弁体と弁座との間に形成される間隙により、主弁体の閉弁位置において第１の入出口ポートと第２の入出口ポートとの間に微少流量の流れが確保される絞り状態が得られるから、双方向型の絞り弁を構成することが可能になる。
【手続補正９】
【補正対象書類名】明細書
【補正対象項目名】００３７
【補正方法】変更
【補正の内容】
【００３７】
また、プランジャ２３にはプランジャ内圧を逃がす流体逃がし通路としてのブリード孔３７が形成されている。このブリード孔３７が形成されていることで、電磁ソレノイド装置２０の通電停止時に、磁気的に吸引されているプランジャ２３の内部ばね２８のばね力による吸引子２２からの離間が、弁閉維持用圧力室３０内の流体圧によりよって阻止されてしまうことがなくなる。
【手続補正１０】
【補正対象書類名】明細書
【補正対象項目名】００３８
【補正方法】変更
【補正の内容】
【００３８】
また、この発明による空気調和機によれば、第１の室内交換器と第２の室内熱交換器との間に、上述の双方向型電磁弁を接続することで、冷房モードと暖房モードの何れにおいても、すなわち冷媒の流れ方向が反転しても双方向型電磁弁の弁閉状態を維持できるので、除湿運転が行えるようになる。